(57)【要約】【課題】  ゴミ捕集部に毛髪等のゴミが詰まっても、排水の流路を確保でき、ゴミ捕集部の掃除の頻度を低下でき、良好な排水能力を長期間にわたって維持できるようにする。【解決手段】  排水口１を開閉する蓋状の栓本体２と、この栓本体２の下方に設けて排水中のゴミを捕集するゴミ捕集部３とを備えて形成する。栓本体２に、開栓時に排水を通す排水流通部２ａと、排水を遮断する排水遮断部２ｂとを形成する。ゴミ捕集部３を、排水流通部２ａに対応して位置決めされて排水流通部２ａを経て流れ落ちる排水からゴミを除去するメイン捕集部３１と、排水遮断部２ｂに対応して位置決めされてメイン捕集部３１から縦向きの仕切板７を越えて溢れ出る排水からゴミを除去するサブ捕集部３２とに上記の仕切板７で区分けする。【選択図】      図１
2010229666.tif 000002
【特許請求の範囲】
【請求項１】
排水口を開閉する蓋状の栓本体と、この栓本体の下方に設けられて排水中のゴミを捕集するゴミ捕集部とを備えて形成されている排水栓であって、上記の栓本体に、開栓時に排水を通す排水流通部と、排水を遮断する排水遮断部とが形成され、上記のゴミ捕集部が、上記の排水流通部に対応して位置決めされて排水流通部を経て流れ落ちる排水からゴミを除去するメイン捕集部と、上記の排水遮断部に対応して位置決めされてメイン捕集部から縦向きの仕切板を越えて溢れ出る排水からゴミを除去するサブ捕集部とに上記の仕切板で区分けされていることを特徴とする排水栓。
【請求項２】
請求項１記載の排水栓であって、排水流通部と排水遮断部が、栓本体の外周部に半周分づつ形成され、仕切板が排水口に接続される排水筒の直径線上に配置されてゴミ捕集部がメイン捕集部とサブ捕集部とに二分されていることを特徴とする排水栓。
【請求項３】
請求項１記載の排水栓であって、排水流通部と排水遮断部が、栓本体の外周部に周方向に等間隔で交互に形成され、仕切板が排水口に接続される排水筒の直径線上に交差状に配置されてメイン捕集部とサブ捕集部が排水筒の軸心周りに交互に形成されていることを特徴とする排水栓。
【請求項４】
排水口を開閉する蓋状の栓本体と、この栓本体の下方に設けられて排水中のゴミを捕集するゴミ捕集部とを備えて形成されている排水栓であって、上記のゴミ捕集部が、開栓時に上記の排水口を経て流れ落ちる排水からゴミを除去するメイン捕集部と、このメイン捕集部から縦向きの仕切板を越えて溢れ出る排水からゴミを除去するサブ捕集部とに上記の仕切板で区分けされ、サブ捕集部と上記の栓本体との間に、排水をメイン捕集部に導く導水部が設けられていることを特徴とする排水栓。
【請求項５】
請求項４記載の排水栓であって、仕切板が排水口に接続される排水筒の直径線上に配置され、ゴミ捕集部がメイン捕集部とサブ捕集部とに二分されていることを特徴とする排水栓。
【請求項６】
請求項４記載の排水栓であって、仕切板が排水口に接続される排水筒の直径線上に交差状に配置されてメイン捕集部とサブ捕集部が排水筒の軸心周りに交互に形成されていることを特徴とする排水栓。
【請求項７】
請求項４乃至６の何れかに記載の排水栓であって、導水部が、メイン捕集部の側に上面が下り傾斜の板材で形成されていることを特徴とする排水栓。
【請求項８】
請求項１乃至７の何れかに記載の排水栓であって、メイン捕集部の網目が、サブ捕集部の網目より密であることを特徴とする排水栓。
【発明の詳細な説明】
【技術分野】
【０００１】
本発明は、洗面ボウル等の排水口に取り付けて使用する排水栓に関し、更に詳しくは毛髪等のゴミを除去する機能を備えている排水栓に関するものである。
【背景技術】
【０００２】
従来この種の排水栓としては、例えば特許文献１、２に記載されているものがある。
文献１に記載の従来品は、蓋状の栓本体の下側に弾頭状の捕集リング部が接続され、文献２の従来品は、蓋状の栓本体の下方にヘアキャッチャーを備え、栓本体の抜け止めが可能になるよう形成されているものである。
【０００３】
ところでこの種の排水栓は、捕集リング部（ヘアキャッチャー）に毛髪等のゴミが堆積すると、排水能力が著しく低下し、排水に時間がかかることになる。
従ってこの種の排水栓は、排水の流れが細く弱くなったら、排水栓を掃除する必要があるため、ゴミを確実に捕集できながら排水の流れを長期間維持でき、掃除の手間暇を低減できるよう形成されているのが望ましい。
【０００４】
しかるに、文献１の従来品の場合は、ゴミの除去を簡単化できるものの、毛髪等のゴミが排水の勢い（流れ）によって捕集リング部から流され易く、従ってゴミを確実に捕集できない、という問題点があった。
また文献２の従来品は、上記の通り、栓本体の抜け止めを可能にしているものであり、ヘアキャッチャーにゴミが堆積したときの対策は特に施されていなかった。
従ってこれによると、ヘアキャッチャーに詰まったゴミで排水の流れが妨げられ、ヘアキャッチャーを掃除する頻度が高くなる、という問題点があった。
【先行技術文献】
【特許文献】
【０００５】
【特許文献１】特開２００５−８３１１８号公報
【特許文献２】特開２００８−２５２７５号公報
【発明の概要】
【発明が解決しようとする課題】
【０００６】
本発明は、このような従来品の問題点に鑑み、提案されたものである。
従って本発明の解決しようとする技術的課題は、毛髪等のゴミを捕集する機能を備えて形成されている排水栓において、ゴミ捕集部に毛髪等のゴミが詰まっても、排水の流路を確保でき、ゴミ捕集部の掃除の頻度を低下でき、良好な排水能力を長期間にわたって維持できるよう形成した排水栓を提供することにある。
【課題を解決するための手段】
【０００７】
本発明は、上記の課題を解決するため、次のような技術的手段を採る。
即ち本発明は、図１等に示されるように、排水口１を開閉する蓋状の栓本体２と、この栓本体２の下方に設けられて排水中のゴミを捕集するゴミ捕集部３とを備えて形成されている排水栓であって、上記の栓本体２に、開栓時に排水を通す排水流通部２ａと、排水を遮断する排水遮断部２ｂとが形成され、上記のゴミ捕集部３が、上記の排水流通部２ａに対応して位置決めされて排水流通部２ａを経て流れ落ちる排水からゴミを除去するメイン捕集部３１と、上記の排水遮断部２ｂに対応して位置決めされてメイン捕集部３１から縦向きの仕切板７を越えて溢れ出る排水からゴミを除去するサブ捕集部３２とに上記の仕切板７で区分けされていることを特徴とする（請求項１）。
【０００８】
而して本発明は、排水流通部２ａと排水遮断部２ｂが、栓本体２の外周部に半周分づつ形成され、仕切板７が排水口１に接続される排水筒５の直径線上に配置されてゴミ捕集部３がメイン捕集部３１とサブ捕集部３２とに二分されているのが好ましい（請求項２）。
なぜならこれによると、排水流通部２ａとメイン捕集部３１、排水遮断部２ｂとサブ捕集部３２との位置決めを容易化でき、構造を簡単化できるからである。
【０００９】
また本発明は、例えば図５〜図８に示されるように、排水流通部２ａと排水遮断部２ｂが、栓本体２の外周部に周方向に等間隔で交互に形成され、仕切板７が排水口１に接続される排水筒５の直径線上に交差状に配置されてメイン捕集部３１とサブ捕集部３２が排水筒５の軸心周りに交互に形成されているのでも良い（請求項３）。
なぜならこれによると、排水流通部２ａの形成個数に合わせ、排水を排水口１の周りから排水筒５内にバランス良く流れ込ませることができるからである。
【００１０】
また本発明の課題を達成する他の構成としては、例えば図９〜図１３に示されるものがある。
この本発明は、排水口１を開閉する蓋状の栓本体２と、この栓本体２の下方に設けられて排水中のゴミを捕集するゴミ捕集部３とを備えて形成されている排水栓であって、上記のゴミ捕集部３が、開栓時に上記の排水口１を経て流れ落ちる排水からゴミを除去するメイン捕集部３１と、このメイン捕集部３１から縦向きの仕切板７を越えて溢れ出る排水からゴミを除去するサブ捕集部３２とに上記の仕切板７で区分けされ、サブ捕集部３２と上記の栓本体２との間に、排水をメイン捕集部３１に導く導水部８が設けられていることを特徴とする（請求項４）。
【００１１】
而してこの本発明の場合は、構造を簡単化できるよう、仕切板７が排水口１に接続される排水筒５の直径線上に配置され、ゴミ捕集部３がメイン捕集部３１とサブ捕集部３２とに二分されているのが好ましい（請求項５）。
【００１２】
また本発明は、図１２に示されるように、仕切板７が排水口１に接続される排水筒５の直径線上に交差状に配置されてメイン捕集部３１とサブ捕集部３２が排水筒５の軸心周りに交互に形成されているのが好ましい（請求項６）。
なぜならこれによると、排水を排水口１の周りから満遍なくメイン捕集部３１に導いて円滑に流すことができるからである。
【００１３】
また本発明の場合は、図１０等に示されるように、導水部８が、メイン捕集部３１の側に上面が下り傾斜の板材で形成されているのが好ましい（請求項７）。
なぜならこれによると、導水部８の構造を簡単化できるからである。この場合、導水部８の上面の傾斜は、図９に示される本発明品の場合は、例えば半分づつ反対方向に形成されるのでも良く（図１１参照）、また図１２に示される本発明品の場合は、図１３に示されるように、同方向に排水を導くことができるよう、平面視で同方向に下り傾斜状に形成されているのが好ましい。
【００１４】
また本発明は、図１４に示されるように、メイン捕集部３１の網目が、サブ捕集部３２の網目より密であるのが好ましい（請求項８）。
なぜならこれによると、メイン捕集部３１のゴミの捕集率を高めることができるからである。
【発明の効果】
【００１５】
本発明は、このように形成されているから、排水中のゴミをメイン捕集部で捕集でき、メイン捕集部にゴミが堆積して流れが悪くなると、仕切板を越えてサブ捕集部に排水を流すことができる。
従ってこれによると、排水中のゴミを捕集できるだけではなく、メイン捕集部が詰まっても排水の流路を確保できるから、良好な排水能力を長期間にわたって維持できる。
【図面の簡単な説明】
【００１６】
【図１】本発明の排水栓の好適な一実施例を示し、Ａは排水筒の一部を切欠した要部斜視図、ＢはＡのＢ−Ｂ線における要部断面図である。
【図２】同上排水栓の取付時の排水筒の一部を切欠した要部斜視図である。
【図３】図１ＢのＩＩＩ−ＩＩＩ線における栓本体の底面図である。
【図４】図１ＢのＩＶ−ＩＶ線における断面図である。
【図５】本発明の排水栓の他の実施例を示す排水筒の一部を切欠した要部斜視図である。
【図６】図５のＶＩ−ＶＩ線における要部断面図である。
【図７】図６のＶＩＩ−ＶＩＩ線における栓本体の底面図である。
【図８】図６のＶＩＩＩ−ＶＩＩＩ線における断面図である。
【図９】同上排水栓の他の実施例を示す排水筒の一部を切欠した要部斜視図である。
【図１０】図９の排水栓の要部断面図である。
【図１１】図１０のＸＩ−ＸＩ線における断面図である。
【図１２】同上排水栓の更に他の実施例を示す排水筒の一部を切欠した要部斜視図である。
【図１３】図１２の排水栓の導水部を示す要部断面図である。
【図１４】ゴミ捕集部の他の実施例を示す要部断面図である。
【発明を実施するための形態】
【００１７】
以下、本発明を実施するための形態を、添付図面に基づいて説明する。
【実施例１】
【００１８】
本発明の排水栓は、図１等に示されるように、排水口１を開閉する蓋状の栓本体２と、この栓本体２の下方に設けられて排水中のゴミを捕集するゴミ捕集部３とを備えて形成されている。栓本体２は平面視で円形であり、ゴミ捕集部３は、軸心が同一状の径の異なる複数の円形枠３ａと、この円形枠３ａを連結する放射状の枠３ｂとで網目状に形成されている。放射状の枠３ｂは、この実施例では軸部４から放射状に形成され、円形枠３ａは排水口１に接続される排水筒５の内周面に擦接されている。栓本体２は、縦軸６の上端に中心を合わせて固定され、縦軸６が軸部４に案内されることで上下動可能に形成されている。なお、縦軸６の下端には、抜け止め用の径の拡大部６ａが形成されている。
【００１９】
上記の栓本体２は、開栓時に排水を通す排水流通部２ａと、排水を遮断する排水遮断部２ｂとを備えて形成されている。この実施例の場合、排水流通部２ａと排水遮断部２ｂは、栓本体２の外周部に半周分づつ形成されている。即ち、排水遮断部２ｂは、栓本体２の外周部に周方向に半周分延びて壁状に形成され、排水流通部２ａは排水遮断部２ｂの延長線上が切り欠かれて開口状に形成されている。
【００２０】
また上記のゴミ捕集部３は、上記の排水流通部２ａに対応して位置決めされて排水流通部２ａを経て流れ落ちる排水からゴミを除去するメイン捕集部３１と、上記の排水遮断部２ｂに対応して位置決めされてメイン捕集部３１から縦向きの仕切板７を越えて溢れ出る排水からゴミを除去するサブ捕集部３２とに上記の仕切板７で区分けされている。この実施例の場合、仕切板７は、排水口１に接続される排水筒５の直径線上に配置され、ゴミ捕集部３は、メイン捕集部３１とサブ捕集部３２とに二分されている。
【００２１】
次に本発明品の作用を説明する。
先ず排水栓が上昇して開栓すると、排水が排水流通部２ａから排水口１に流れ込み、排水筒５内を流れ下る。そしてこの排水は、排水流通部２ａに対応するメイン捕集部３１に流れ込み、排水中の毛髪等のゴミがメイン捕集部３１で捕集される。
【００２２】
次にメイン捕集部３１にゴミが堆積するのに連れ、メイン捕集部３１から下方への排水量が減り、排水は次第に仕切板７を越えてサブ捕集部３２に流れ込む。そしてサブ捕集部３２によってオーバーフローした排水中のゴミが捕集される。従って本発明品の場合、メイン捕集部３１にゴミが堆積しても、サブ捕集部３２によって排水の流路が確保され、ゴミも除去される。
【実施例２】
【００２３】
以上の処において、本発明は、図５〜図８に示されるように、排水流通部２ａと排水遮断部２ｂが、栓本体２の外周部に周方向に等間隔で交互に形成され、仕切板７が排水口１に接続される排水筒５の直径線上に交差状に配置されてメイン捕集部３１とサブ捕集部３２が排水筒５の軸心周りに交互に形成されているのでも良い。
【００２４】
この実施例の場合、排水流通部２ａと排水遮断部２ｂは、図７に示されるように、栓本体２の外周部に９０度間隔で夫々２個づつ、計４個形成されている。また仕切板７は、排水流通部２ａと排水遮断部２ｂに対応して平面視で十字状に交差されている。従ってメイン捕集部３１とサブ捕集部３２は、排水筒５の軸心周りに９０度間隔で２個づつ、計４個形成されている。
【００２５】
而してこの本発明の場合、排水は、栓本体２の反対側の２箇所の排水流通部２ａから、排水口１を経て排水筒５内に流れ込む。そして排水は、排水流通部２ａに対応するメイン捕集部３１を流れる間に、ゴミがメイン捕集部３１で捕集され、メイン捕集部３１にゴミが堆積すると、仕切板７を越えてサブ捕集部３２に流れる。従って、上例と同様、メイン捕集部３１がゴミで詰まっても、サブ捕集部３２で排水の流路が確保されると共に、オーバーフローした排水中のゴミが捕集される。
【実施例３】
【００２６】
また本発明の課題を達成する他の構成としては、図９〜図１３に示されるものがある。上例と同一部材、同一箇所には同一の符号を付し、詳しい説明は省略する。
【００２７】
この本発明は、上例と同様、排水口１を開閉する蓋状の栓本体２と、この栓本体２の下方に設けられて排水中のゴミを捕集するゴミ捕集部３とを備えて形成されている。栓本体２やゴミ捕集部３の構造は、上例と同様である。
【００２８】
上記のゴミ捕集部３は、開栓時に上記の排水口１を経て流れ落ちる排水からゴミを除去するメイン捕集部３１と、このメイン捕集部３１から縦向きの仕切板７を越えて溢れ出る排水からゴミを除去するサブ捕集部３２とに上記の仕切板７で区分けされている。この実施例の場合、仕切板７は、排水口１に接続される排水筒５の直径線上に配置され、ゴミ捕集部３がメイン捕集部３１とサブ捕集部３２とに二分され、メイン捕集部３１とサブ捕集部３２が同じ大きさに形成されている。
【００２９】
またこの本発明は、サブ捕集部３２と上記の栓本体２との間に、排水をメイン捕集部３１に導く導水部８が設けられている。この導水部８は、円形の栓本体２に合わせ、真上から見て半円形に形成され、サブ捕集部３２の上方に、軸部４に固定されることにより配置されている。またこの実施例の導水部８は、メイン捕集部３１の側に上面が下り傾斜の板材で形成されている。そして導水部８としてのこの板材の上面は、図１１に示されるように、この実施例では半分づつ反対方向に下り傾斜状に形成されている。
【００３０】
而してこの本発明の場合、排水は、図１０に示されるように、栓本体２が上昇して開栓すると、栓本体２の周りから排水口１を経て排水筒５内に流れ込む。そしてこの排水は、メイン捕集部３１に直接、或いは導水部８で導かれてメイン捕集部３１に流れ込み、メイン捕集部３１を流れる間に、排水中のゴミが除去される。またメイン捕集部３１にゴミが堆積すると、上例と同様、仕切板７を越えてサブ捕集部３２に流れ込み、サブ捕集部３２を流れる間にゴミが捕集される。
【実施例４】
【００３１】
以上の処において、本発明は、図１２、図１３に示されるように、仕切板７が排水口１に接続される排水筒５の直径線上に交差状に配置されてメイン捕集部３１とサブ捕集部３２が排水筒５の軸心周りに交互に形成されているのでも良い。仕切板７は、この実施例では十字状に交差され、メイン捕集部３１とサブ捕集部３２は排水筒５の軸心周りに９０度間隔で２個づつ、計４個形成されている。
【００３２】
この実施例の場合、導水部８は、図１３に示されるように、平面視で１８０度反対の位置に設けられている。また導水部８の上面は、同図に矢示されるように、この実施例では平面視で反時計方向に下り傾斜状に形成されている。
【００３３】
而してこの実施例の場合、排水は、排水口１の周りから排水筒５内に流入し、メイン捕集部３１に直接、或いは導水部８で導かれて流れ込む。そして排水中のゴミは、メイン捕集部３１で除去され、各メイン捕集部３１にゴミが堆積すると、排水はサブ捕集部３２に仕切板７を越えて流れ込み、サブ捕集部３２を流れる間に、この箇所でもゴミが除去される。
【実施例５】
【００３４】
また本発明は、メイン捕集部３１の網目が、図１４に示されるように、サブ捕集部３２の網目より密に形成されているのでも良い。
本発明の場合、排水は、当初、メイン捕集部３１を主に流れるものである。従ってゴミ捕集部３が、このように形成されていると、メイン捕集部３１でゴミを確実に捕集でき、ゴミの除去率を上げることができるものである。
なお、図１４に示される網目は、図１〜図１３に示される全ての排水栓の実施例に適用可能である。
【符号の説明】
【００３５】
１      排水口
２      栓本体
２ａ    排水流通部
２ｂ    排水遮断部
３      ゴミ捕集部
３１    メイン捕集部
３２    サブ捕集部
７      仕切板
【図１】
2010229666.tif 000003
【図２】
2010229666.tif 000004
【図３】
2010229666.tif 000005
【図４】
2010229666.tif 000006
【図５】
2010229666.tif 000007
【図６】
2010229666.tif 000008
【図７】
2010229666.tif 000009
【図８】
2010229666.tif 000010
【図９】
2010229666.tif 000011
【図１０】
2010229666.tif 000012
【図１１】
2010229666.tif 000013
【図１２】
2010229666.tif 000014
【図１３】
2010229666.tif 000015
【図１４】
2010229666.tif 000016